(57)【特許請求の範囲】
【請求項１】
開閉自在のドア部を有し、当該ドア部を開いて記録媒体を内部に装填するプリンタ装置において、
上記ドア部が所定量開いたときに露出するように当該ドア部の所定位置に配設された操作スイツチと、
上記ドア部を、閉じた状態の第１のポジシヨンと、上記記録媒体を装填できる開いた状態の第２のポジシヨンと、上記所定量開いた状態の第３のポジシヨンとの間で開閉駆動するドア開閉駆動手段とを具えることを特徴とするプリンタ装置。
【請求項２】
上記ドア部を上記第３のポジシヨンにおいてロツクするロツク手段を具える
ことを特長とする請求項１に記載のプリンタ装置。
【請求項３】
上記ドア開閉駆動手段は、
上記ドア部を開閉する際に比較的状態変化量の大きい部位の上記第３のポジシヨンにおける位置を検出する位置検出手段を具えることを特長とする請求項１に記載のプリンタ装置。
【発明の詳細な説明】
【０００１】
【発明の属する技術分野】
本発明はプリンタ装置に関し、例えばサーマル記録方式のプリンタ装置に適用して好適なものである。
【０００２】
【従来の技術】
従来、この種のプリンタ装置においては、筐体の前面部に複数の操作スイツチが設けられており、これら操作スイツチを押圧操作することにより各種設定や命令の入力等を行い得るようになされている。
【０００３】
【発明が解決しようとする課題】
ところがプリンタ装置は、近年、多機能化に伴い操作スイツチ数も増加する傾向にある反面、近年の技術向上に伴つて小型化の傾向にあり、このため筐体を大型化することなく全ての操作スイツチを筐体の前面部に配設し難い問題が生じてきている。
【０００４】
本発明は以上の点を考慮してなされたもので、操作スイツチの増加に関わりなく小型化し得るプリンタ装置を提案しようとするものである。
【０００５】
【課題を解決するための手段】
かかる課題を解決するため本発明においては、プリンタ装置において、ドア部が所定量開いたときに露出するように当該ドア部の所定位置に操作スイツチを設け、ドア開閉駆動手段によるドア部の開閉状態として、閉じた状態の第１のポジシヨンと、記録媒体を装填できる開いた状態の第２のポジシヨンと、ドア部が所定量開いた第３のポジシヨンとを設けるようにした。
【０００６】
この結果ドア部が所定量開いたときに露出するように当該ドア部の所定位置に操作スイツチを設けるようにしたことにより、その表面に操作スイツチを設けるためのスペースを低減できる。
【０００７】
【発明の実施の形態】
以下図面について、本発明の一実施の形態を詳述する。
【０００８】
（１）本実施の形態によるプリンタ装置の構成
図１において、１は全体として本実施の形態によるプリンタ装置を示し、筐体２の前面部に複数の操作スイツチ３Ａ〜３Ｈが設けられた第１の操作パネル４が配設されると共に、当該第１の操作パネル４を避けて開閉自在にドア部５が設けられている。
【０００９】
この場合ドア部５には、その前面に液晶パネル６及び排紙口５Ａが設けられると共に、その上端面５Ｂに図２に示すように複数の操作スイツチ７Ａ〜７Ｂが設けられた第２の操作パネル８が配設され、かつその内側に図３に示すようにペーパートレイ９と、回転自在のプラテン１０とが配設されている。
【００１０】
またプリンタ装置１においては、ドア部５の開閉状態として図１のように当該ドア部５が閉じた状態のクローズポジシヨンと、図２のように第２の操作パネル８が露出する程度にドア部５が所定量開いたメニユーポジシヨンと、図３のようにドア部５が完全に開いたオープンポジシヨンとが設けられており、第１の操作パネル４のドア開閉ボタン３Ｈを押圧操作することによりドア部５をクローズポジシヨン及びオープンポジシヨン間で開閉でき、第１の操作パネル４のメニユーボタン３Ａを押圧操作することによりドア部５をクローズポジシヨン及びメニユーポジシヨン間で開閉させることができるようになされている。
【００１１】
これによりこのプリンタ装置１においては、第１の操作パネル４のドア開閉ボタン３Ｈを押圧操作してドア部５をオープンポジシヨンまでオープンさせることによりその内部にロール状の記録媒体でなる印画紙１１（図３）を装填でき、また第１の操作パネル４のメニユーボタン３Ａを押圧操作してドア部５をメニユーポジシヨンの状態にオープンさせることにより、第２の操作パネル８に配設された各操作スイツチ７Ａ〜７Ｈを操作することができるようになされている。
【００１２】
なおこの実施の形態の場合、第１の操作パネル４の各操作スイツチ３Ａ〜３Ｈにはプリントやフイード（紙送り）印画紙カツト等の良く使う機能の入力が割り当てられているのに対して、第２の操作パネル８の各操作スイツチ７Ａ〜７Ｈには各種モード時における詳細設定などの頻繁には用いられない機能の入力が割り当てられており、これにより一般的な操作をドア部５を開閉させることなく容易に行い得るようになされている。
【００１３】
一方筐体２の内部には、図４に示すように、一対のサイドシヤーシ２０Ａ２０Ｂ、バツクシヤーシ２１及びトツプシヤーシ２２からなるシヤーシ２３に、ドア部５を開閉駆動するドア開閉駆動機構部２４と、下面側にライン型のサーマルヘツド２５が取り付けられたヘツド部２６と、ヘツド部２６のサーマルヘツド２５をプラテン１０に圧着する圧着機構部２７と、当該圧着機構部２７を駆動する圧着機構駆動部２８と、プラテン１０を回転駆動するプラテン駆動機構部２９がそれぞれ所定位置に配設されてなるメカ機構部３０が設けられている。
【００１４】
この場合メカ機構部３０においては、印画モード時、筐体１１内部に設けられた後述の制御部７３（図７）の制御のもとに、圧着機構駆動部２８が圧着機構部２７を駆動させてヘツド部２６を印画紙１１（図３）を介してプラテン１０に圧着し、この状態において図示しない信号処理系からヘツド部２６に順次与えられる印画データに基づいて１ライン分の印画を行いながら、プラテン駆動機構部２９によりプラテン１０を回転させて当該印画紙１１を１ライン分ずつ送り出すようにして印画処理を実行する。
【００１５】
またメカ機構部３０は、このようにして１枚分の印画が終了すると、制御部７３（図７）の制御のもとに、プラテン駆動機構部２９がプラテン１０を回転させることにより印画紙１１を所定量送り出した後、ドア部５の排紙口５Ａ（図１）の内側に設けられた図示しないペーパカツタが印画紙１１を切断し、この後圧着機構駆動部２８がヘツド部２６及び圧着機構部２７を初期状態に戻すように動作する。
【００１６】
このようにしてこのプリンタ装置１においては、外部から供給される印画信号に基づく画像を印画紙１１に印画し得るようになされ、上述の動作を繰り返すことにより複数枚の印画処理を連続して行い得るようになされている。
【００１７】
（２）ドア開閉駆動機構部２４の構成
ここで実際上ドア開閉駆動機構部２４においては、図５〜図７に示すように、サイドシヤーシ２０Ｂに固定されたモータ（図示せず）を動力源として有し、当該モータの出力軸４０に取り付けられたギア４１が第１〜第８のギア４２〜４９を順次介してシヤフト駆動ギア５０のギア部５０Ａと歯合している。
【００１８】
またシヤフト駆動ギア５０は、サイドシヤーシ２０Ａ、２０Ｂ間に回転自在に架け渡されたシヤフト５１に固定されると共に、当該シヤフト５１にはアーム受け５２が図示しない位置決めピンを介して所定角度で固定されている。
【００１９】
さらにこのアーム受け５２にはアーム５３の一端部が固定されると共に、当該アーム５２の他端部はペーパトレイ９が取り付けられたインナーシヤーシ５４の後端部近傍にピン５５を介して回転自在に連結されている。
【００２０】
さらにインナーシヤーシ５４の側面中央部の下段位置にはピン５６を介してレール５７の一端部が回転自在に取り付けられると共に、当該レール５７の他端部はサイドシヤーシ２０Ｂに回転自在に取り付けられた第１〜第４のコロ５９〜６２により前方向（矢印ｘ方向）及びこれと逆の後方向にスライド自在に保持されている。
【００２１】
これによりドア開閉駆動機構部２４においては、モータから第１〜第８のギア４２〜４９を介してシヤフト駆動ギア５０に与える回転力に基づいて、当該シヤフト駆動ギア５０と一体にアーム５３をシヤフト５１を回転中心として回転駆動させることができ、かくしてこの回転力に基づいてインナーシヤーシ５４のピン５６が植立された部位をレール５７と一体に前後方向に移動させるようにしてドア部５を開閉させ得るようになされている。
【００２２】
かかる構成に加えこのプリンタ装置１の場合、図８（Ａ）及び（Ｂ）に示すように、シヤフト駆動ギア５０には所定位置にシヤフト５１を中心とする円弧状の第１〜第３の突起部５０Ｂ〜５０Ｄが設けられると共に、サイドシヤーシ２０Ｂにはこれら第１〜第３の突起部５０Ｂ〜５０Ｄに対応させて、発光素子及び受光素子からなるフオトインタラプタ型の第１及び第２のセンサ７０、７１が固定されている。
【００２３】
この場合シヤフト駆動ギア５０の第１〜第３の突起部５０Ｂ〜５０Ｄと、第１及び第２のセンサ７１、７２は、それぞれドア部５がオープンポジシヨンにあるときに図８（Ａ）のように第１の突起部５０Ｂにより第１のセンサが遮られられ、ドア部５がクローズポジシヨンにあるときに図８（Ｂ）のように第２の突起部５０Ｃにより第１のセンサ７１が遮られると共に第３の突起部５０Ｄにより第２のセンサ７２が遮られるように位置が選定されて形成されている。
【００２４】
そして各第１及び第２のセンサ７１、７２の出力はそれぞれ制御部７３に与えられ、かくして制御部７３がこれら第１及び第２のセンサの出力に基づいてドア部５のポジシヨンを検出し得るようになされている。
【００２５】
また図５〜図７において明らかなように、レール５７の外側面の後端部には突起部７４が突出形成されると共に、サイドシヤーシ２０Ｂにはドア部５がメニユーポジシヨンにあるときにのみ当該突起部７４により遮られるようにフオトインタラプタ型の第３のセンサ７５が設けられている。
【００２６】
そしてこの第３のセンサ７５の出力は制御部７３に与えられ、かくして制御部７３が当該第３のセンサ７５の出力に基づいてドア開閉駆動機構部２４のモータを制御することにより、ドア部５をメニユーポジシヨン位置に位置決めすることができるようになされている。
【００２７】
さらにこのときレール５７の下部には、ドア部５がメニユーポジシヨンにあるときの当該レール５７の下部を支持する第３のコロ６１の位置に対応させて凹部５７Ａが設けられている。
【００２８】
これによりこのプリンタ装置１においては、ドア部５がメニユーポジシヨンにあるときに第３のコロ６１がレール５７の凹部５７Ａに嵌まり込んで当該ドア部５の開閉位置をメニユーポジシヨン位置にロツクすることができ、かくしてこの状態において第２の操作パネル８に設けられた操作スイツチ７Ａ〜７Ｈが操作されてレール５７に対して斜め下方向の外力が与えられた場合においてもドア部５７が不用意に開閉するのを未然に防止し得るようになされている。
【００２９】
（３）本実施の形態の動作及び効果
以上の構成において、このプリンタ装置１では、第１の操作パネル４のドア開閉ボタン３Ｈが押下されると、制御部７３が第１及び第２のセンサ７１、７２の出力に基づいてそのときのドア部５の開閉状態を検出し、当該検出結果に基づいてドア開閉駆動機構部２４のモータを駆動することによりドア部５をオープンポジシヨン及びクローズポジシヨン間で開閉動作させる。
【００３０】
また第１の操作パネル４のメニユーボタンが押下されると、制御部７３が第１及び第２のセンサ７１、７２の出力に基づいてそのときのドア部５の開閉状態を検出し、当該検出結果に基づいてドア開閉駆動機構部２４のモータを駆動することによりドア部５を開閉動作させる一方、このとき制御部７３が第３のセンサ７５の出力に基づいて、レール５７の突起部７４が第３のセンサ７５を遮るタイミングでドア開閉駆動機構部２４のモータの駆動を停止させることにより、ドア部５をメニユーポジシヨンで停止させる。
【００３１】
このときこのプリンタ装置１では、上述のようにドア部５の上端面に設けられた第２の操作パネル８が筐体から露出しており、従つてオペレータはこの状態において第２の操作パネル８を操作して各種設定入力を行うことができる。
【００３２】
そしてこのプリンタ装置１では、操作スイツチ７Ａ〜７Ｈがドア部５の上端面５Ｂに設けられている分、筐体２の前面部にこれら操作スイツチ７Ａ〜７Ｈを配設するためのスペースを低減できる。
【００３３】
またこのプリンタ装置１では、プリントやフイード等の印画操作に必要な最低限の操作入力を行うための操作スイツチ３Ａ〜３Ｈを筐体２の前面部に配設された第１の操作パネル４内に設け、各種詳細設定など１度設定した後はあまり使用しない操作スイツチ７Ａ〜７Ｈを第２の操作パネル８に設けるようにしているため、操作スイツチ７Ａ〜７Ｈをドア部５の上端面に設ける場合においても全体としての操作性の劣化を防止することができる。
【００３４】
さらにこのプリンタ装置１では、ドア部５の開閉時に移動量が比較的大きいレール５７に突起部７４を設け、当該突起部７４を利用してドア部５のメニユーポジシヨンの位置決めを行つているため、当該位置決めを精度良く行うことができる。
【００３５】
以上の構成によれば、ドア部５の上端面５Ｂに第２の操作パネル８を設けるようにしたことにより、筐体２の前面部に操作スイツチ７Ａ〜７Ｈを設けるのに必要なスペースを低減させることができ、かくして小型化し得るプリンタ装置を実現できる。
【００３６】
（４）他の実施の形態
なお上述の実施の形態においては、本発明をサーマル記録方式のプリンタ装置１に適用するようにした場合について述べたが、本発明はこれに限らず、インクジエツト方式等この他種々の方式により印画を行うプリンタ装置に広く適用することができる。
【００３７】
また上述の実施の形態においては、本発明をドア部５の上部がアーム５３によりシヤフト５１を中心として回転すると共に、ドア部５の下部がレール５７により前後方向に移動するようにして当該ドア部５が開閉するプリンタ装置１に適用するようにした場合について述べたが、本発明はこれに限らず、ドア部がこの他の形態（例えば平行移動により開閉等）で開閉するこの他種々のプリンタ装置に広く適用することができる。
【００３８】
さらに上述の実施の形態においては、開閉動作時におけるドア部５のポジシヨンや位置を検出する第１〜第３センサ７１、７２、７５としてフオトインタラプタ型のものを用いるようにした場合について述べたが、本発明はこれに限らず、この他種々のセンサを広く適用することができる。
【００３９】
さらに上述の実施の形態においては、ドア部５を、閉じた状態の第１のポジシヨンと、印画紙１１を装填できる開いた状態の第２のポジシヨンと、第２の操作パネル８の各操作スイツチ７Ａ〜７Ｈを操作できる所定量開いた状態の第３のポジシヨンとの間で開閉駆動するドア開閉駆動手段としてのドア開閉駆動機構部２４を図５〜図７のように構成するようにした場合について述べたが、本発明はこれに限らず、ドア開閉駆動機構部２４の構成としてはこの他種々の構成を広く適用することができる。
【００４０】
さらに上述の実施の形態においては、ドア部５をメニユーポジシヨンにおいてロツクするロツク手段を、レール５７の下部に設けられた凹部５７Ａと、第３のコロ６１とで構成するようにした場合について述べたが、本発明はこれに限らず、この他種々の構成を広く適用することができる。
【００４１】
さらに上述の実施の形態においては、ドア部５を開閉する際に比較的移動量の大きい部位のメニユーポジシヨンにおける位置を検出する位置検出手段を、レール５７に突出形成された突起部７４と、第３のセンサ７５とで構成するようにした場合について述べたが、本発明はこれに限らず、この他種々の構成を広く適用することができる。
【００４２】
さらに上述の実施の形態においては、ドア部５の開閉時におけるレール５７の移動に基づいてメニユーポジシヨンの位置決めを行うようにした場合について述べたが、本発明はこれに限らず、要は、ドア部５の開閉時に比較的移動量や回転量等の状態変化量の大きい部位の位置（回転位置等を含む）に基づいてメニユーポジシヨンの位置決めを行うのであるのならば、その対象としてはレール５７以外の例えばアーム５３等のこの他種々のものを適用できる。
【００４３】
【発明の効果】
上述のように本発明によれば、開閉自在のドア部を有し、当該ドア部を開いて記録媒体を内部に装填するプリンタ装置において、ドア部が所定量開いたときに露出するように当該ドア部の所定位置に配設された操作スイツチと、ドア部を、閉じた状態の第１のポジシヨンと、記録媒体を装填できる開いた状態の第２のポジシヨンと、所定量開いた状態の第３のポジシヨンとの間で開閉駆動するドア開閉駆動手段とを設けるようにしたことにより、その表面に操作スイツチを設けるためのスペースを低減でき、小型化し得るプリンタ装置を実現できる。
【図面の簡単な説明】
【図１】本実施の形態によるプリンタ装置の構成を示す略線的な斜視図である。
【図２】本実施の形態によるプリンタ装置の構成を示す略線的な斜視図である。
【図３】本実施の形態によるプリンタ装置の構成を示す略線的な斜視図である。
【図４】メカ機構部の構成を示す分解斜視図である。
【図５】ドア開閉駆動機構部の構成を示す略線的な側面図である。
【図６】ドア開閉駆動機構部の構成を示す略線的な側面図である。
【図７】ドア開閉駆動機構部の構成を示す略線的な側面図である。
【図８】ドア駆動ギアの第１〜第３の突起部と、第１及び第２のセンサとの位置関係の説明に供する略線的な平面図である。
【符号の説明】
１……プリンタ装置、２……筐体、３Ａ〜３Ｈ、５……ドア部、７Ａ〜７Ｈ……操作スイツチ、４、８……操作パネル、２４……ドア開閉駆動機構部、５０……シヤフト駆動ギア、５０Ｂ〜５０Ｄ、７４……突起部、５７……レール、７１、７２、７５……センサ、７３……制御部。
【図１】
0003904126.tif 000002
【図２】
0003904126.tif 000003
【図３】
0003904126.tif 000004
【図４】
0003904126.tif 000005
【図５】
0003904126.tif 000006
【図６】
0003904126.tif 000007
【図７】
0003904126.tif 000008
【図８】
0003904126.tif 000009